(57)【特許請求の範囲】
【請求項１】
衝撃に応じて音声を出すボール状遊戯具であって、
外部の音声を電子信号に変換する変換部と、
前記電子信号に基づく音声データを記録する記録部と、
前記ボール状遊戯具に加わる衝撃を検知する検出部と、
前記検出部が衝撃を検知したときに前記記録部に記録されている前記音声データに基づいて音声を出す再生部と、
前記変換部、前記記録部、前記検出部、及び前記再生部を内蔵するケーシングと、
前記ケーシングに設けられた孔と、
前記孔の周囲において前記ケーシングの少なくとも一部を構成する弾性体と、
前記孔の中に配置され、前記孔の周囲の弾性体を変形させることで操作される、押下型のスイッチと、
前記押下型のスイッチへ加えられる操作に従って動作信号を前記変換部又は前記記録部の少なくとも一方に送信する信号送信部と
を備え、
前記変換部及び前記記録部の少なくとも一方は、前記動作信号を受信することを条件に動作し、
前記信号送信部の動作を、前記押下型のスイッチへ加えられる操作にかかわらず禁止する禁止部を更に備え、
前記記録部は、前記電子信号に基づく音声データである第１音声データを格納する第１記録部と、予め第２音声データを保持する第２記録部を有し、
前記再生部は、前記禁止部が前記信号送信部の動作を禁止している間に前記検出部が衝撃を検知した場合は、前記第２記録部に保持されている第２音声データを取得し、前記第２音声データに基づいて音声を出すボール状遊戯具。
【請求項２】
前記孔の径は、３ｍｍ〜８ｍｍである、請求項１に記載のボール状遊戯具。
【請求項３】
前記変換部又は前記記録部の少なくとも一方は、前記動作信号を予め定められた時間以上連続して受信することを条件に動作することを特徴とする請求項１に記載のボール状遊戯具。
【請求項４】
前記押下型のスイッチを複数備え、
前記信号送信部は、一の前記押下型のスイッチが操作された後、予め定められた時間内に、他の少なくとも一つの前記押下型のスイッチが操作されることで、前記動作信号を送信することを特徴とする請求項１に記載のボール状遊戯具。
【請求項５】
取り外し又は移動可能であり、前記押下型のスイッチを覆って外部から操作不可能にする被覆部を更に備えることを特徴とする請求項１に記載のボール状遊戯具。
【請求項６】
前記記録部は、複数の前記音声データを互いに識別可能に格納し、
更に、外部から操作可能であり、前記複数の音声データのいずれを取得するかを、外部からの操作に基づいて前記再生部に指示する指示部を更に備えることを特徴とする請求項１に記載のボール状遊戯具。
【請求項７】
前記記録部は、複数の音声データを格納し、
前記再生部による処理の度に、前記複数の音声データのいずれかをランダムに選択する選択部を更に備え、
前記再生部は、前記選択部が選択した前記音声データに基づいて音声を出すことを特徴とする請求項１に記載のボール状遊戯具。
【請求項８】
前記選択部は、前記複数の音声データのうちの少なくとも２つを、互いに異なる確率で選択することを特徴とする請求項７に記載のボール状遊戯具。
【請求項９】
前記再生部は、前記検出部が衝撃を検知してから所定の時間が経過した後に前記音声データに基づいて音声を出すことを特徴とする請求項１に記載のボール状遊戯具。
【請求項１０】
前記所定の時間は、０．１秒以上１秒以下であることを特徴とする請求項９に記載のボール状遊戯具。
【請求項１１】
前記ケーシングは、前記変換部が集音し易くするための採音孔、及び前記再生部による音声を外部に拡散しやすくするための拡散孔を有するとともに、前記押下型のスイッチを、前記採音孔及び前記拡散孔を結ぶ直線に概略沿う位置に配置することを特徴とする請求項１に記載のボール状遊戯具。
【請求項１２】
前記拡散孔は、前記採音孔及び前記押下型のスイッチの間に位置することを特徴とする請求項１１に記載のボール状遊戯具。
【請求項１３】
前記採音孔は、前記ケーシング上において前記押下型のスイッチから１ｃｍ以上の距離に位置することを特徴とする請求項１１に記載のボール状遊戯具。
【発明の詳細な説明】
【０００１】
【発明の属する技術分野】
本発明は、ボール状遊戯具に関する。特に本発明は、従来より楽しみ方を増やした、衝撃に応じて音声を出すボール状遊戯具に関する。
【０００２】
【従来の技術】
衝撃を検知して音声を発生するボール状遊戯具に関しては、例えば特開平２−１５４７７１号公報に開示された技術、実開昭６４−５０８９２号公報に開示された技術、実開平６−３４６６０号公報に開示された技術がある。また、衝撃を検知して光を発生するボール状遊戯具に関しては、登録実案第３０２５９６８号公報に開示された技術がある。
【０００３】
【発明が解決しようとする課題】
従来の技術によっては、予め定められた音声を発することしかできない。従って、楽しみ方に制限があった。
【０００４】
そこで本発明は、上記の課題を解決することのできるボール状遊戯具を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、衝撃に応じて音声を出すボール状遊戯具であって、外部の音声を電子信号に変換する変換部と、電子信号に基づく音声データを記録する記録部と、ボール状遊戯具に加わる衝撃を検知する検出部と、検出部が衝撃を検知したときに記録部に記録されている音声データに基づいて音声を出す再生部と、を備えることを特徴とするボール状遊戯具を提供する。
【０００６】
上記形態において、変換部及び記録部の少なくとも一方は、動作信号を受信することを条件に動作し、更に、外部から操作可能な操作部と、操作部へ加えられる操作に従って動作信号を変換部又は記録部の少なくとも一方に送信する信号送信部を備えてもよい。
この場合、変換部及び記録部の少なくとも一方の動作を、操作部へ加えられる操作にかかわらず禁止する禁止部を更に備えてもよい。さらにこの場合、記録部は、電子信号に基づく音声データである第１音声データを格納する第１記録部と、予め第２音声データを保持する第２記録部を有し、再生部は、切換スイッチが信号送信部の動作を禁止している間に検出部が衝撃を検知した場合は、第２記録部に格納されている第２音声データを取得し、第２音声データに基づいて音声を出してもよい。
さらに、変換部、記録部、検出部、及び再生部を内部に格納するケーシングを更に備え、ケーシングは、凹部を有し、操作部は、凹部に設けられてもよい。また、変換部又は記録部の少なくとも一方は、動作信号を予め定められた時間以上連続して受信してもよい。また、操作部を複数備え、信号送信部は、一の操作部が操作された後、予め定められた時間内に、他の少なくとも一つの操作部が操作されることで、動作信号を送信してもよい。また、取り外し又は移動可能であり、信号送信部の操作部を覆って外部から操作不可能にする被覆部を更に備えてもよい。また、操作部を内部に格納する、少なくとも一部が弾性体製のケーシングを更に備え、操作部は、押下型のスイッチであり、ケーシングの弾性体の部分を介して外部から押下可能な位置に配置されていてもよい。
さらに、変換部、記録部、検出部、再生部、及び電池を内部に格納するケーシングを更に備え、ケーシングは、変換部が集音し易くするための採音孔、及び再生部による音声を外部に拡散しやすくするための拡散孔を有するとともに、操作部を、採音孔及び拡散孔を結ぶ直線に概略沿う位置に配置してもよい。この場合、拡散孔は、採音孔及び操作部の間に位置するのが好ましい。また、採音孔は、ケーシング上において操作部から１ｃｍ以上の距離に位置するのが好ましい。
【０００７】
また、上記形態において、記録部は、複数の音声データを互いに識別可能に格納し、更に、外部から操作可能であり、複数の音声データのいずれを取得するかを、外部からの操作に基づいて再生部に指示する指示部を更に備えてもよい。
また、上記形態において、記録部は、複数の音声データを格納し、再生部による処理の度に、複数の音声データのいずれかをランダムに選択する選択部とを更に備え、再生部は、選択部が選択した音声データに基づいて音声を出してもよい。この場合、選択部は、複数の音声データのうちの少なくとも２つを、互いに異なる確率で選択してもよい。
また、上記形態において、再生部は、検出部が衝撃を検知してから所定の時間が経過した後に音声データに基づいて音声を出してもよい。この場合、特定の時間は、０．１秒以上１秒以下であるのが好ましい。
【０００８】
本発明の第２の形態は、外部の音声を録音すると伴に、録音した音声を、衝撃が加わったときに再生することを特徴とするボール状遊戯具を提供する。
上記形態において、ユーザの操作に従って、外部の音声を録音してもよい。また、ユーザが操作している間、外部の音声を録音し続けてもよい。外部の音声を録音することを選択的に禁止してもよい。衝撃が加わってから所定の時間遅延した後に録音した音声を再生してもよい。
【０００９】
なお上記の発明の概要は、本発明の必要な特徴の全てを列挙したものではなく、これらの特徴群のサブコンビネーションも又発明となりうる。
【００１０】
【発明の実施の形態】
以下、発明の実施形態を通じて本発明を説明するが、以下の実施形態はクレームにかかる発明を限定するものではなく、又実施形態の中で説明されている特徴の組み合わせの全てが発明の解決手段に必須であるとは限らない。
【００１１】
（第１の例）
図１は、本発明の実施形態の第１の例であるボール状遊戯具１０の正面概略図を示す。ボール状遊戯具１０は、略球形であり、略半球状の２つのケーシングである第１ケーシング１２，及び第２ケーシング１４を備える。第１ケーシング１２は、操作孔２２、採音孔３２、及び拡散孔４２を有する。操作孔２２からは、操作部２０が、外部から操作可能に露出している。第１ケーシング１２は、更に、採音孔３２の内部に変換部を、拡散孔４２の内部に再生部を、それぞれ内蔵する。
ボール状遊戯具１０は、外部の音声を変換部を用いて電子信号に変換し、この電子信号に基づく音声データを、音声データの一例である第１音声データとして記録する。そして、キャッチボールやサッカー等に用いられる時に発生する衝撃を検知したとき、ボール状遊戯具１０は、記録している第１音声データを、再生部を用いて再生し、音声を出す。
ボール状遊戯具１０は、ユーザにより操作部２０を操作されていることを条件に、外部の音声を記録する。操作部２０は、例えばユーザが押下可能な押しボタンである。
【００１２】
すなわち、ボール状遊戯具１０は、任意の音声を吹き込んで再生することができるため、コミニュケーションツールとして用いられることができる。
また、サインボールの代わりとして用いることができる。すなわち、有名人に音声を吹き込んでもらうことで、ボール状遊戯具１０は、記念品になることができる。
また、幼児向けの言語学習道具として用いられることができる。ここで、幼児の親の声を記録することで、親子間で用いられるコミニュケーションツールを兼ねることもできる。
【００１３】
なお、ボール状遊戯具１０の外形は、本図においては略球形であるが、多面体でもよく、また、多孔体としてもよい。すなわち、キャッチボールやキック等、球技に類似する遊技に用いることが可能な形状であればよい。
【００１４】
また、第１ケーシング１２の外周面の、第２ケーシング１４に面する側の縁１２０は、全周にわたって内側に凹んでいる。これにより、第１ケーシング１２と第２ケーシング１４の合わせ目を完全に一致させる必要はなくなる。すなわち、必要となる加工精度を下げることで、より安価に第１ケーシング１２及び第２ケーシング１４を製造できる。
ここで、第２ケーシング１４の外周面の、第１ケーシング１２に面する側の縁１４０を、全周にわたって内側に凹ませてもよい。
【００１５】
図２は、ボール状遊戯具１０の上面概略図を示す。操作孔２２、採音孔３２、及び拡散孔４２は、ボール状遊戯具１０のケーシング上において、同一直線上にある。このレイアウトにすることで、操作孔２２すなわち操作部２０、採音孔３２、及び拡散孔４２の間に、ユーザがボール状遊戯具１０を操作しやすくするために必要な相互間距離をとることができる。
また、拡散孔４２は、操作孔２２すなわち操作部２０と採音孔３２の間に位置する。これにより、操作部２０の操作音は、変換部に採音されにくくなる。
また、採音孔３２と操作孔２２すなわち操作部２０の距離を、１ｃｍ以上とするのが好ましい。これにより、変換部は操作部２０の操作音を雑音として拾いにくくなる。さらに、ボール状遊戯具１０が片手でもてる程度の大きさ、例えば直径７〜１０ｃｍの大きさである場合は、５ｃｍ以下とするのが好ましい。これにより、ユーザは片手でボール場遊戯具１０を保持し、当該片手で操作部２０を操作しながら採音孔３２に音を容易に吹き込むことができる。
【００１６】
図３は、ボール状遊戯具１０の断面概略図を示す。本図は、第１ケーシング１２と第２ケーシング１４を分離して示す。
ボール状遊戯具１０は、第１ケーシング１２側に、操作部２０、変換部３０、再生部４０、制御部５０、及び電池１００を有する。すなわち、ボール状遊戯具１０の電子部品は、全て第１ケーシング１２側に設けられる。従って、電子部品のレイアウト、及び制御部５０の構造は簡単になる。
なお、操作部２０は操作孔２２すなわち凹部の中に、変換部３０は採音孔３２の中に、再生部４０は拡散孔４２の中に、それぞれ位置する。
【００１７】
ここで、電池１００は、第１ケーシング１２の第２ケーシング１４に対向する面１２１より第２ケーシング１４側に位置している。このため、ユーザは、第１ケーシング１２及び第２ケーシング１４を分離させるのみで、電池１００を交換可能状態にできる。なお、第２ケーシング１４の第１ケーシング１２に対向する面１４１は、第１ケーシング１２の面１２１と比べ、電池１００の突出分ほど内側に凹んでいる。従って、第１ケーシング１２と第２ケーシング１４を結合させたときに、電池１００は面１４１に干渉しない。
【００１８】
第１ケーシング１２は、面１２１の外周縁近傍に、凸部１２２を有する。凸部１２２は円形に設けられる。この円は、第１ケーシング１２の中心軸に対して同心である。すなわち、凸部１２２を設けることで、第１ケーシング１２の縁１２０は、内側に向けて凹むことになる。
また、凸部１２２は、外周面の端部に、第１ケーシング１２を第２ケーシング１４に結合させるための雄ネジ部１２４を有する。すなわち、第１ケーシング１２は、内面側に雄ネジ部１２４を有する。
【００１９】
第２ケーシング１４は、第１ケーシング１２に対向する面１４２の外周縁近傍に、凸部１４２を有する。凸部１４２は、凸部１２２に対向するように設けられている。すなわち、凸部１４２を設けることで、第２ケーシング１４の縁１４０は、内側に向けて凹むことになる。
また、凸部１４２は、内周面の端部に、雄ネジ部１２４に螺合する雌ネジ部１４４を有する。すなわち、第２ケーシング１４は、内面側に雌ネジ部１４４を有する。雌ネジ部１４４と雄ネジ部１２４が螺合する事で、第１ケーシング１２と第２ケーシングは互いに結合し、ボール状遊戯具１０のケーシングを形成する。
【００２０】
ところで、操作部２０は、ユーザによって意識的に押し下げられるとき以外は用意に押し下げられない構成であることが好ましい。これにより、誤った録音が行われにくくなる。例えば、操作部２０は、上記の如く、第１ケーシング１２の表面よりも内部に凹んだ凹部である操作孔２２に配置される。これにより、操作部２０は第１ケーシング１２の操作孔２２近傍を有る程度変形させないと内部へ押し下げられないようになる。従って、例えばボール状遊戯具１０が投げられた後に捕球されて第１ケーシング１２へ衝撃が加わったとき、その衝撃力によって操作部２０が押し下げられてしまうことを防止できる。
【００２１】
図４は、ボール状遊戯具１０の電子部品のブロック図を示す。ボール状遊戯具１０は、電子部品として、操作部２０、変換部３０、再生部４０、制御部５０、及び電池１００を備える。電池１００は、再生部４０、及び制御部５０に必要な電力を供給する。また、制御部５０は、信号送信部５２、第１記録部５４、検出部５６、及び読み出し部５８を有する。第１記録部５４は、本発明に係る記録部の一例である。
【００２２】
操作部２０は、ユーザからの操作に従って、信号送信部５２を動作させる。信号送信部５２は、操作部２０の物理的動作に従い、記録部５４に動作信号を出力する。ここで、信号送信部５２は例えば接点スイッチ又は圧電素子であり、操作部２０は、接点スイッチの押しボタン、或いは圧電素子に圧力を伝達する押しボタンである。
【００２３】
変換部３０は、信号送信部５２から動作信号を受信していることを条件に、外部の音声、例えばユーザが発する言葉を電子信号に変換し、第１記録部５４に出力する。変換部３０は、例えばマイクである。
【００２４】
第１記録部５４は、内部に書き換え可能な記録媒体を有する。第１記録部５４は、変換部３０から受信する電子信号に基づいた第１音声データを、内部の記録媒体に記録する。ここで、第１記録部５４は、複数の第１音声データを互いに識別可能に記録してもよい。更に、第１記録部５４は、必要に応じて記録媒体の第１音声データを上書きする。なお、第１記録部５４は、補助電池を有しており、電池１００の交換するときに、一定時間電力が供給されなくても、記録媒体内の記録が揮発しないようになっている。
【００２５】
検出部５６は、例えば振動センサであり、ボール状遊戯具１０に加わる衝撃を検知し、読出部５８に検知信号を出力する。検出部５６の検知感度は、ボール状遊戯具１０の使用目的によって適宜変更する。例えば、ボール状遊戯具１０の対象ユーザを幼児とする場合は、落下距離５ｃｍ程度の衝撃を検知する感度を有することが好ましい。また、ボール状遊戯具１０のユーザを小学生以上とする場合は、落下距離５０ｃｍ以下の衝撃に対しては検知信号を出力しないようにするのが好ましい。
【００２６】
読出部５８は、検出部５６から検知信号を受信すると、第１記録部５４に格納されている第１音声データを読み出す。そして、検知信号を受信してから予め定められた時間が経過した後、再生部４０に、読み出した第１音声データに基づく電子信号を出力する。ここで、予め定められた時間は、例えば０．１秒以上１秒以下である。ここで、読出部５８は、第１音声データに基づく電子信号を増幅して出力してもよい。
【００２７】
再生部４０は、読出部５８から受信した電子信号を音声に変換する。再生部４０は、読出部５８の動作により、衝撃が加わってから予め定められた時間遅延してから音声を発する。従って、再生音は、衝撃時に発生する音にかき消されにくくなる。ここで、再生部４０は、受信した電子信号を増幅する機能を有してもよい。
【００２８】
図５（Ａ）は、検出部５６の一例である衝撃センサの構成を示す。本例において、衝撃センサは、略円柱状の中空の収納部材２００と、収納部材２００の側面に設けられた第１電極２１０と、収納部材２００の内部に、一面から起立している柱状の第２電極２２０とを有する。第２電極２２０の先端部は、第２電極２２０が慣性力の変化により折れ曲がりやすくなるように、重くすることが好ましい。
収納部材２００は、絶縁体製である。第１電極２１０はリング状であり、収納部材２００の内部に、露出している。ここで、第１電極２１０が露出している部分は、収納部材２００の側面全周にわたるのが好ましい。第２電極２２０は、弾性を有しており、慣性力の変化を受けて弾性的に折れ曲がり、第１電極２１０に接する。すなわち、第１電極２１０と第２電極２２０が導通する事で、本衝撃センサは衝撃を検知する。
【００２９】
図５（Ｂ）は、図５（Ａ）に示す衝撃センサの変形例を示す。本例の衝撃センサは、柱状の第２電極２２０の代わりに、スプリング状の第２電極２３０を有する。本例の衝撃センサは、図５（Ａ）に示す衝撃センサと同様の操作により、衝撃を検出する。
【００３０】
図５（Ｃ）は、検出部５６の他の例である振動センサの構成を示す。本例において、振動センサは、ベース部材２０１に圧電物質からなる歪みゲージ２４０を有する。本振動センサに衝撃が加わると、加えられた衝撃に従って圧電物質に歪みが生じ、この歪みに起因して圧電物質の中に起電力が生じる。本振動センサは、この電圧に基づいて、衝撃を検知する。ここで、圧電物質に生じる起電力の大きさは、衝撃の大きさによって異なる。従って、本振動センサを検出部５６として用いると、ボール状遊戯具１０に加わる衝撃の大きさを検知することができる。この場合、例えば衝撃の大きさに応じて再生する第１音声を変えることもできる。
【００３１】
図６は、ボール状遊戯具１０の動作の一例を示す。本例は、ボール状遊戯具１０が、外部の音声を記録する時の動作の一例を示す。
信号送信部５２が、操作部２０へ加えられた操作を検知する（ステップＳ２０：Ｙｅｓ）と、変換部３０は、外部の音声を拾って電子信号に変換する（ステップＳ４０）。第１記録部５４は、変換部３０から受信した電子信号に基づく第１音声データを記録する（ステップＳ６０）。そして、第１記録部５４は、操作部２０への操作が行われている間（ステップＳ８０：Ｎｏ）は、第１音声データを記録し続ける。そして、操作部２０への操作が終了する（ステップＳ８０：Ｙｅｓ）と、第１記録部５４は、第１音声データの記録を終了する。
【００３２】
図７は、ボール状遊戯具１０の他の動作例を示す。本例は、ボール状遊戯具１０が、第１音声データを再生する時の動作の一例を示す。
検出部５６が衝撃を検知する（ステップＳ１２０：Ｙｅｓ）と、読出部５８は、第１記録部５４から第１音声データを読み出す（ステップＳ１４０）。そして、再生部４０は、読み出された第１音声データに基づく電子信号を受信し、当該電子信号に基づいて音声を出すことで、第１音声データを再生する（ステップＳ１６０）。
【００３３】
（第２の例）
図８は、本実施形態の第２の例であるボール状遊戯具１０の平面概略図である。本図に示すように、本例において、ボール状遊戯具１０は、第１の実施形態に係るボール状遊戯具１０の外部構成に加え、外部に禁止スイッチ７０を更に備える。禁止スイッチ７０は、本発明に係る禁止部の一例であり、外部から操作可能である。禁止スイッチ７０と操作部２０との間には、拡散孔４２など他の構成要素が存在する。この配置にすることで、ユーザーが、操作部２０を操作するときに禁止スイッチ７０を誤って操作する可能性は低くなる。
【００３４】
図９は、本例のボール状遊戯具１０の電子部品の構成を示す。本図に示す構成は、図４に示す構成と概略同じであるが、第２記録部６０及び禁止スイッチ７０を更に備える点で異なる。すなわち、本例においては、記録部として、第１記録部５４及び第２記録部６０を備える。
【００３５】
第２記録部６０は、内部に書き換え不可である記録媒体を有する。この記録媒体には、予め第２音声データが格納されており、読出部５８からの要求に応じて、内部の第２音声データを読出部５８に提供する。ここで、第２音声データは、例えば、有名人の音声データなどの、記念的な意味合いを持つ音声データである。
【００３６】
禁止スイッチ７０は、信号送信部５２の動作を禁止したり、許可したりするスイッチである。禁止スイッチ７０によって動作が禁止されている場合、信号送信部５２は、操作部２０の操作にかかわらず第１記録部５４に信号を送信しない。
従って、ボール状遊戯具１０を使用している時にユーザが誤って操作部２０を操作しても、第１記録部５４の第１音声データが誤って上書きされることはない。
なお、本図において、禁止スイッチ７０は、信号送信部５２に動作禁止信号を送信する形態になっているが、信号送信部５２と第１記録部５４の接続を物理的にＯＮ／ＯＦＦする構成としてもよい。また、禁止スイッチ７０は、スライド式のスイッチでもよいし、押しボタン式のスイッチでもよい、
【００３７】
また、禁止スイッチ７０は、信号送信部５２の動作を禁止している場合、読出部５８に信号を送信する。読出部５８は、禁止スイッチ７０から信号を受信している間は、第１記録部５４の第１音声データを読み出さずに、第２記録部６０の第２音声データを読み出し、第２音声データに基づく電子信号を再生部４０に出力する。
【００３８】
図１０は、本例に係るボール状遊戯具１０の録音時の動作の一例を示す。
信号送信部５２が、操作部２０へ加えられた操作を検知し（ステップＳ２０：Ｙｅｓ）かつ、禁止スイッチ７０が録音を許可している場合（ステップＳ２１：Ｙｅｓ）のみ、変換部３０は、外部の音声を拾って電子信号に変換する（ステップＳ４０）。そして、第１記録部５４は、変換部３０から受信した電子信号に基づく第１音声データを記録する（ステップＳ６０）。その後の動作は、図６に示す第１の実施形態と同様であるので、省略する。
【００３９】
図１１は、本例に係るボール状遊戯具１０の他の動作例を示す。本例は、ボール状遊戯具１０が、第１音声データを再生する時の動作の一例を示す。
検出部５６が衝撃を検知する（ステップＳ１２０：Ｙｅｓ）と、読出部５８は、禁止スイッチ７０が録音を許可しているか否かを確認する（ステップＳ１３０）。録音を許可している場合、読出部５８は、第１記録部５４から第１音声データを読み出す（ステップＳ１４２）。録音を許可していない場合、読出部５８は、第２記録部５４から第２音声データを読み出す（ステップＳ１４４）。そして、再生部４０は、読み出された第１音声データ又は第２音声データに基づく電子信号を受信し、電子信号に基づいて音声を出すことで、第１音声データ又は第２音声データを再生する（ステップＳ１６０）。
従って、本実施形態によれば、ボール状遊戯具１０の楽しみ方がさらに増える。
【００４０】
（第３の例）
図１２は、本実施形態の第３の例に係るボール状遊戯具の電子部品の構成を示す。本図に示す構成は、図４に示す構成と概略同じであるが、選択スイッチ７２を更に備える点で異なる。選択スイッチ７２は、本発明に係る指示部の一例である。なお、選択スイッチ７２は、第２の例における禁止スイッチ７０と同様に、外部から操作可能である。選択スイッチ７２と操作部２０との間には、拡散孔４２など他の構成要素が存在する。
【００４１】
選択スイッチ７２は、第１記録部５４及び読出部５８に、選択信号を受信する。すなわち、第１記録部５４は、複数の第１音声データの各々を、選択スイッチ７２からの選択信号に対応させて記録する。ここで、第１記録部５４は、例えば各選択信号に対応した記録領域に、第１音声データを記録する。読出部５８は、選択スイッチ７２からの選択信号に対応する第１音声データを、第１記録部５４から読み出し、第１音声データに基づく電子信号を再生部４０に出力する。
【００４２】
図１３は、本例に係るボール状遊戯具１０の動作の一例を示す。本例は、ボール状遊戯具１０の録音時の動作を示す。
信号送信部５２が、操作部２０へ加えられた操作を検知する（ステップＳ２０：Ｙｅｓ）と、変換部３０は、外部の音声を拾って電子信号に変換する（ステップＳ４０）。第１記録部５４は、変換部３０から受信した電子信号に基づく第１音声データを、選択スイッチ７２による選択に対応付けて記録する（ステップＳ６２）。以後の動作は、第１の例と同様であるので、詳細は省略する。
【００４３】
図１４は、本例に係るボール状遊戯具１０の他の動作例を示す。本例は、ボール状遊戯具１０が、第１音声データを再生する時の動作の一例を示す。
検出部５６が衝撃を検知する（ステップＳ１２０：Ｙｅｓ）と、読出部５８は、選択スイッチによる選択を確認する（ステップＳ１２２）。そして、読出部５８は、選択スイッチによる選択に対応する第１音声データを、第１記録部５４から読み出す（ステップＳ１２４）。そして、再生部４０は、読み出された第１音声データに基づく電子信号を受信し、当該電子信号に基づいて音声を出すことで、第１音声データを再生する（ステップＳ１６０）。
【００４４】
従って、本例によれば、ユーザは、複数の音声をボール状遊戯具１０に記録できる。また、ユーザは、ボール状遊戯具１０において、所望の音声を選択して再生できる。すなわち、本例のボール状遊戯具１０は、より多くの楽しみ方をユーザに提供できる。
【００４５】
（第４の例）
図１５は、本実施形態の第４の例に係るボール状遊戯具１０の平面概略図である。本例において、ボール状遊戯具１０は、第１の例に係るボール状遊戯具１０と概略同じ構成であるが、操作部２０を複数備える点が異なる。複数の操作部２０は、互いに離れた位置に設けられるのが好ましい。例えば、本図に示すように、拡散孔４２を中心に９０°異なる位置に設ける。この配置にすることで、ユーザが、誤って複数の操作部２０を予め定められた時間内に操作する可能性は低くなる。
【００４６】
図１６は、本例に係るボール状遊戯具１０の録音時の動作を示す。信号送信部５２が、一の操作部２０へ操作が加えられてから、予め定められた時間以内に、他の操舵部２０への操作を検知する（ステップＳ２２）と、変換部３０は、外部の音声を拾って電子信号に変換する（ステップＳ４０）。その後の動作は、図６に示す第１の例と同様であるので、省略する。なお、ステップＳ４２における予め定められた時間は、０を含む。すなわち、複数の操作部２０が同時に操作されることを、第１音声データが記録されるための条件としてもよい。
従って、ボール状遊戯具１０を使用している時にユーザが誤って一の操作部２０を操作しても、第１記録部５４の第１音声データが誤って上書きされることはない。
【００４７】
なお、本実施形態に係るボール状遊戯具１０の再生時の動作は、第１の実施形態に係るボール状遊戯具１０の再生時の動作と同じであるため、説明を省略する。
【００４８】
（第５の例）
図１７は、本実施形態の第５の例に係るボール状遊戯具１０の断面概略図を示す。本例において、ボール状遊戯具１０は、第１の例として示した構成に加え、被覆部２４を備える。被覆部２４は、例えば樹脂製であり、操作部２０を有する操作孔２２を取り外し可能に覆う。従って、ユーザは、操作部２０を操作する意志がない時は、被覆部２４で操作孔２２を覆うことで、操作部２０を誤操作することを防ぐことができる。
なお、本例において、被覆部２４を、取り外し可能な形態としたが、スライドさせることで、操作孔２２を覆ったり開放したりできる構成としてもよい。
【００４９】
（第６の例）
第６の例において、ボール状遊戯具１０の構成は、第１の例と同様の構成であるが、録音時の動作が異なる。
【００５０】
図１８は、本例に係るボール状遊戯具１０の録音時の動作例を示す。
本例において、信号送信部５２が、操作部２０への操作が一定時間継続していることを検知する（ステップＳ２４）と、変換部３０は、外部の音声を拾って電子信号に変換する（ステップＳ４０）。そして、第１記録部５４は、変換部３０から受信した電子信号に基づく第１音声データを、予め定められた時間ほど記録する（ステップＳ６４）。
本例において、第１記録部５４は、操作部２０への動作が一定時間継続しないと第１音声データを記録しない。従って、ボール状遊戯具１０を使用している時にユーザが誤って操作部２０を操作しても、第１記録部５４の第１音声データが誤って上書きされる可能性は低くなる。
なお、本例においても、第１記録部５４は、第１音声データの記録を開始した後、操作部２０へ操作されていることを条件に第１音声データの記録を継続する構成としてもよい。
【００５１】
（第７の例）
第７の例において、ボール状遊戯具１０の構成は、制御部５０の構成を除き、第１の例で示した構成と同じである。
【００５２】
図１９は、本例に係るボール状遊戯具１０の、制御部５０の構成を示す。本例は、第１の例における制御部５０の構成と概略同じであるが、第１記録部５４と読み出し部５８の間に選択部６２を有する点で異なる。また、第１記録部５４には、複数の第１音声データが格納されている。
選択部６２は、読出部５８から第１音声データの読み出し命令を受信すると、第１記録部５４に格納されている複数の第１音声データから、任意の第１音声データを選択し、読み出す。そして、読み出した第１音声データを読出部５８に出力する。
ここで、選択部６２は、複数の第１音声データのうちの少なくとも２つを、互いに異なる確率で選択してもよい。例えば、「当たり」と「外れ」のうち、当たりをより高い確率で選んでもよい。
【００５３】
図２０は、本例に係るボール状遊戯具１０の再生時の動作を示す。
検出部５６が衝撃を検知する（ステップＳ１２０：Ｙｅｓ）と、読出部５８は、選択部６２に読み出し命令を出力する（ステップＳ１５２）。選択部６２は第１記録部５４からランダムに第１音声データを選択する（ステップＳ１５４）。読出部５８は、選択部６２を介して、選択部６２により選択された第１音声データを取得する（ステップＳ１５６）。そして、再生部４０は、読み出された第１音声データに基づく電子信号を受信し、当該電子信号に基づいて音声を出すことで、第１音声データを再生する（ステップＳ１６０）。
【００５４】
従って、本例によれば、どの第１音声データが再生されるかは、ユーザには分からない。従って、ボール状遊戯具１０による楽しみが更に増す。また、少なくとも２つの第１音声データを、互いに異なる確率で選択する構成とすることで、より楽しみが増す。
【００５５】
（第８の例）
図２１は、第８の例に係るボール状遊戯具１０の斜視概略図である。本例において、ボール状遊戯具１０は、ケーシングの構成を除き、第１の例と同じ構成を取る。ボール状遊戯具１０のケーシングの大部分は第２ケーシング１４が占める。第１ケーシング１２は、第２ケーシング１４に押し込まれる構成となっている。第１ケーシング１２を第２ケーシング１４に固定する際、図示しないネジを用いてもよい。
本例の構成とすると、例えば野球の硬式ボールなど、第１ケーシング１２及び第２ケーシング１４の少なくとも一方がねじ切りできない素材により構成されていても、第１ケーシング１２及び第２ケーシング１４を互いに固定することができる。
【００５６】
また、本例において、第１ケーシング１２は、ネジ１７によって第２ケーシング１４に固定される。より詳細には、ネジ１７は、外側から第１ケーシング１２を貫通する。また、第２ケーシング１４の開口部には、部材３００が填め込み固定されている。部材３００は、ネジ１７に螺合するネジ穴３０２を有する。すなわち、ネジ１７がネジ穴３０２に螺合する事で、第１ケーシング１２は第２ケーシング１４に固定される。従って、ネジ１７を外すことで、第１ケーシング１２を第２ケーシング１４から簡単に取り外すことができる。第１ケーシング１２を取り外すことで、制御部５０等の内部部品の点検を容易に行える。
【００５７】
また、本例において、部材３００は、ケーシング１０２が填め込まれるように、例えば円筒状の中空構造となっている。ここで、部材３００の外壁３０４は、一部に、内周側に出っ張っている凸部３０６を有する。
さらに、ケーシング１０２の一部は、凸部３０６が填り込むための凹部１０３を有する。すなわち、凸部３０６が凹部１０３に填り込むことで、第１ケーシング１２と第２ケーシング１４の相対位置は容易に決定される。従って、容易に第１ケーシング１２を第２ケーシング１４に取り付けられる。
【００５８】
また、本例において、第１ケーシング１２の少なくとも操作部２０の周囲は、ポリウレタン、スポンジ等の弾性体からなる。操作部２０は、押下型のスイッチであり、操作孔２２すなわち第１ケーシング１２の表面よりも内部に凹んだ凹部の中に配置されている。これにより、操作部２０は第１ケーシング１２における操作孔２２近傍をある程度変形させないと内部へ押し下げられない。すなわち、操作部２０は衝撃によっては容易に押し下げられないようになっている。従って、例えばボール状遊戯具１０が投げられた後に捕球されることで、第１ケーシング１２に衝撃が加わった場合に、その衝撃力によって操作部２０が押し下げられてしまうことを防止できる。
ここで、操作孔２２の径を、人の指が入らない程度、例えば３ｍｍ〜８ｍｍ程度にしてもよい。この際、操作孔２２の頂部をすり鉢状に広げ、指が填りやすくしてもよい。
【００５９】
図２２は、第１ケーシング１２及びケーシング１０２の一部分解図である。本図に示すように、電池１００は、ケーシング１０２の一面１０４を取り外すことにより、外部に露出する。従って、ユーザは、電池１００を簡単に交換できる。ここで、一面１０４は、ケーシング１０２にネジ１０６で固定される。これにより、ボール状遊技具１０に衝撃が加わっても、電池１００が接触不良となる可能性は低くなる。なお、ネジ１０６を挿入する為に裏蓋１０４に設けられる穴は、一面１０４の中心若しくはその近傍に設けられるのが好ましい。また、ネジ１０６に対応してケーシング１０２に設けられるネジ穴も、一面１０４の中心若しくはその近傍に対応する箇所に設けられるのが好ましい。これにより、ネジ１０６を複数用いる必要はなくなる。ここで、電池１００を複数設ける場合は、電池１００をネジ１０６を中心に同心状に配列するのが好ましい。なお、本図において、凹部１０３は図示を省略している。
【００６０】
図２３は、本例における第１ケーシング１２の断面概略図である。本図において、操作孔２２の頂部２６はすり鉢状に広がっている。また、操作部２０の頭部は、操作孔２２の頂部２６の下端より下にある。これにより、ユーザが、意図せずに操作部２０を操作する可能性は低くなる。
【００６１】
以上、本発明を実施形態を用いて説明したが、本発明の技術的範囲は上記実施形態に記載の範囲には限定されない。上記実施形態に、多様な変更または改良を加えることができる。例えば、上述した各例の特徴的な構成要素を任意に組み合わせることができる。そのような変更または改良を加えた形態も本発明の技術的範囲に含まれ得ることが、特許請求の範囲の記載から明らかである。
【００６２】
例えば、第１の例において、読出部５８が、検出部５６から検知信号を受信してから予め定められた時間が経過した後、第１音声データに基づく電子信号を再生部４０に出力していたが、この構成の代わりに以下の構成としてもよい。すなわち、読出部５８は検知信号受信後すぐに第１音声データに基づく電子信号を再生部４０に出力する。再生部４０は、電子信号を受信してから予め定められた時間が経過した後に電子信号を音声に変換する。
【００６３】
また、音声データを再生している最中に検出部５６が新たな衝撃を検出した場合は、当該衝撃の検出を無効としてもよいし、有効としてもよい。有効とする場合、再生部４０は、衝撃を検出するたびに、第１音声データの再生を最初から行う。
【００６４】
また、第２の例において、禁止スイッチ７０は、信号送信部５２の動作を禁止することで、第１記録部５４の動作を禁止する構成としたが、禁止スイッチ７０が、第１記録部５４、又は変換部３０の動作を直接禁止する構成としてもよい。
【００６５】
また、上記実施形態において、変換部３０が動作信号を受信することを条件に動作する構成としたが、変換部３０ではなく、第１記録部５４が動作信号を受信することを条件に動作する構成としてもよい。また、変換部３０及び第１記録部５４が動作信号を受信することを条件に動作する構成としてもよい。
【００６６】
さらに、複数の音声データを同時に読み出し、これらの複数の音声データを合成した音声を出力してもよい。この場合、例えば第１音声データのみを複数読み出してもよいし、第２音声データのみを複数読み出してもよいし、第１音声データ及び第２音声データを複数読み出してもよい。
【００６７】
また、上記実施形態から、以下の技術が開示されていることが明らかである。項目１  衝撃に応じて音声を出すボール状遊戯具であって、外部の音声を電子信号に変換する変換部と、前記電子信号に基づく音声データを記録する記録部と、前記ボール状遊戯具に加わる衝撃を検知する検出部と、前記検出部が衝撃を検知したときに前記記録部に記録されている前記音声データに基づいて音声を出す再生部と、ボール状遊戯具の電源となる電池と、前記変換部、前記第１記録部、前記検出部、前記再生部、及び前記電池を内部に格納するケーシングを更に備え、前記ケーシングは、前記電池を外部から取り替え可能に内面側に保持する第１ケーシングと、前記第１ケーシングと共に当該ケーシングを形成するする第２ケーシングとを有することを特徴とするボール状遊戯具。
項目２  前記第１ケーシングは、前記ケーシングの中心軸を中心に設けられた螺旋状の雌ネジ部又は雄ネジ部の一方を内面側に含み、前記第２ケーシングは、前記第１ケーシングの前記雌ネジ部又は雄ネジ部の一方に螺合するように、前記中心軸を中心に設けられた螺旋状の雌ネジ部又は雄ネジ部の他方を内面側に含むことを特徴とする項目１に記載のボール状遊戯具。
項目３  前記第１ケーシング及び前記第２ケーシングの少なくとも一方の外周面の、他方に面する側の縁は、全周にわたって内側に凹んでいることを特徴とする項目１に記載のボール状遊戯具。
【００６８】
【発明の効果】
上記説明から明らかなように、本発明によれば、従来より楽しみ方を増やした、衝撃に応じて音声を出すボール状遊戯具を提供することができる。
【図面の簡単な説明】
【図１】本発明の実施形態の第１の例であるボール状遊戯具１０の正面概略図を示す。
【図２】ボール状遊戯具１０の上面概略図を示す。
【図３】ボール状遊戯具１０の断面概略図を示す。
【図４】ボール状遊戯具１０の電子部品のブロック図を示す。
【図５】（Ａ）及び（Ｂ）は、検出部５６の一例である衝撃センサの構成を示し、（Ｃ）は、検出部５６の他の例である振動センサの構成を示す。
【図６】ボール状遊戯具１０の動作の一例を示す。
【図７】ボール状遊戯具１０の他の動作例を示す。
【図８】第２の例であるボール状遊戯具１０の平面概略図を示す。
【図９】第２の例に係るボール状遊戯具１０の電子部品の構成を示す。
【図１０】第２の例に係るボール状遊戯具１０の録音時の動作の一例を示す。
【図１１】第２の例に係るボール状遊戯具１０の他の動作例を示す。
【図１２】第３の例に係るボール状遊戯具の電子部品の構成を示す。
【図１３】第３の例に係るボール状遊戯具１０の動作の一例を示す。
【図１４】第３の例に係るボール状遊戯具１０の他の動作例を示す。
【図１５】第４の例に係るボール状遊戯具１０の平面概略図である。
【図１６】第４の例に係るボール状遊戯具１０の録音時の動作を示す。
【図１７】第５の例に係るボール状遊戯具１０の断面概略図を示す。
【図１８】第６の例に係るボール状遊戯具１０の録音時の動作例を示す。
【図１９】第７の例に係るボール状遊戯具１０の、制御部５０の構成を示す。
【図２０】第７の例に係るボール状遊戯具１０の再生時の動作を示す。
【図２１】第８の例に係るボール状遊戯具１０の斜視概略図である。
【図２２】第８の例に係る第１ケーシング１２及びケーシング１０２の一部分解図である。
【図２３】第８の例に係る第１ケーシング１２の断面概略図である。
【符号の説明】
１０  ボール状遊戯具
１２  第１ケーシング
１２０  縁
１２４  雄ネジ部
１４  第２ケーシング
１４０  縁
１４４  雌ネジ部
２０  操作部
３０  変換部
４０  再生部
５２  信号送信部
５４  第１記録部
５６  検出部
５８  読み出し部
６０  第２記録部
７０  禁止スイッチ
７２  選択スイッチ
１００  電池
【図１】
0003554848.tif 000002
【図２】
0003554848.tif 000003
【図３】
0003554848.tif 000004
【図４】
0003554848.tif 000005
【図５】
0003554848.tif 000006
【図６】
0003554848.tif 000007
【図７】
0003554848.tif 000008
【図８】
0003554848.tif 000009
【図９】
0003554848.tif 000010
【図１０】
0003554848.tif 000011
【図１１】
0003554848.tif 000012
【図１２】
0003554848.tif 000013
【図１３】
0003554848.tif 000014
【図１４】
0003554848.tif 000015
【図１５】
0003554848.tif 000016
【図１６】
0003554848.tif 000017
【図１７】
0003554848.tif 000018
【図１８】
0003554848.tif 000019
【図１９】
0003554848.tif 000020
【図２０】
0003554848.tif 000021
【図２１】
0003554848.tif 000022
【図２２】
0003554848.tif 000023
【図２３】
0003554848.tif 000024